(57)【特許請求の範囲】
【請求項１】
住宅の電力使用情報を報知する機能を有した住宅情報盤であって、
防犯センサの起動を検知した後、所定時間内に前記住宅の玄関扉における施錠センサの施錠を検知したことに基づく信号に基づいて居住者の外出を判断したときに、ドアホン子器及び携帯端末の少なくとも一方から前記住宅の前記電力使用情報を自動的に報知出力させることを特徴とする住宅情報盤。
【請求項２】
住宅の電力使用情報を報知する機能を有した住宅情報盤であって、
ドアホン子器の呼出釦が、所定時間以上長押しされたことを検知したことに基づく信号に基づいて居住者の外出を判断したときに、ドアホン子器および携帯端末の少なくとも一方から前記住宅の前記電力使用情報を自動的に報知出力させることを特徴とする住宅情報盤。
【請求項３】
請求項１又は請求項２に記載の住宅情報盤において、
前記電力使用情報として、電力使用量が設定された閾値を超えていることを報知することを特徴とする住宅情報盤。
【請求項４】
請求項１〜請求項３のいずれか一項に記載の住宅情報盤と、前記ドアホン子器とを備えたインターホンシステム。
【発明の詳細な説明】
【技術分野】
【０００１】
本発明は、住宅の電力使用情報を報知する機能を有した住宅情報盤及びインターホンシステムに関する。
【背景技術】
【０００２】
従来、住戸に供給される電力を監視して、居住者に電力使用量などの電力使用情報を報知する種々システムが知られている。住戸に設けられた住宅情報盤で電力使用情報を報知させるものとしては、下記特許文献１が挙げられる。
【先行技術文献】
【特許文献】
【０００３】
【特許文献１】特開平１１−２２５４３８号公報
【発明の概要】
【発明が解決しようとする課題】
【０００４】
近年は、電力使用の無駄を省いて節電効果をより向上させるため、電力使用情報を居住者にいかに知らせるかが課題となっている。
【０００５】
本発明は、上記実情に鑑みてなされたものであり、居住者が外出する際に住宅の電力使用情報を知ることができる住宅情報盤及びインターホンシステムを提供することにある。
【課題を解決するための手段】
【０００６】
上記目的を達成するために、本発明に係る住宅の電力使用情報を報知する機能を有した住宅情報盤は、防犯センサの起動を検知した後、所定時間内に前記住宅の玄関扉における施錠センサの施錠を検知したことに基づく信号に基づいて居住者の外出を判断したときに、ドアホン子器及び携帯端末の少なくとも一方から前記住宅の前記電力使用情報を自動的に報知出力させることを特徴とする。
【発明の効果】
【０００７】
本発明に係る住宅情報盤及びインターホンシステムによれば、住戸人が外出する際に住宅の電力使用情報を知ることができる。
【図面の簡単な説明】
【０００８】
【図１】本発明の一実施形態に係る住宅情報盤が設置される住宅の概略構成を示したブロック図である。
【図２】同住宅情報盤及びこれを備えたインターホンシステムの概略構成を説明するためのブロック図である。
【図３】同住宅情報盤の正面外観図の一例を模式的に示す図である。
【図４】（ａ）〜（ｄ）は、同住宅情報盤の表示部の表示態様の例を模式的に示す図である。
【図５】同住宅情報盤の基本動作の一例を説明するフロー図である。
【発明を実施するための形態】
【０００９】
以下、本発明の一実施形態を、図面を参照しながら説明する。
本実施形態における住宅１００の電力使用情報を報知する機能を有した住宅情報盤１には、ドアホン子器３と、居住者の外出を判断する外出検知装置２とが、接続され、インターホンシステムＳを構成している。住宅情報盤１は、外出検知装置２の検知信号に基づいて居住者の外出を判断したときに、ドアホン子器３から住宅１００の電力使用情報を自動的に報知出力させる。
以下、詳しく説明する。
【００１０】
図１は、本実施形態に係る住宅情報盤１が設置される住宅１００の概略構成を示したブロック図であり、図２は住宅情報盤１及びこれを用いたインターホンシステムＳの概略構成を説明するためのブロック図である。また図３は住宅情報盤１の正面外観図の一例を模式的に示す図である。
【００１１】
住宅情報盤１が設置される住宅１００の構成は図例に限定されないが、図１において１０１は住宅玄関部、１０２は住宅居室部を示している。住宅情報盤１は、インターホンシステムＳにおいてドアホン子器３の住戸親機であり、住宅情報盤１の基本機能、例えばドアホン子器３との呼出通話機能、火災感知器やガス検知器の異常を検知し報知する機能等を有している点は、従来のものと同様である。住宅１００内における住宅情報盤１の設置場所は特に限定されないが、住宅居室部１０２の壁面に設けるようにしてもよい。住宅情報盤１には、外出検知装置２と、ドアホン子器３と、分電盤４、防犯センサ７等が接続されている。外出検知装置２の設置場所は特に限定されないが、図例のものは住居玄関部１０１に設けられている。ドアホン子器３は、住宅１００の玄関先に設置され、訪問者が住宅１００内の居住者を呼び出すための呼出釦３０と、相互通話及び電力使用情報を報知するためのスピーカ３１やマイク３２等を備えている。分電盤４は、住宅１００に供給される電力を監視し接続された各種負荷機器に電力を供給する。負荷機器として、複数の照明器具５,６の他、例えばエアコン等の空調設備、テレビジョン等が分電盤４に接続されている。
【００１２】
住宅情報盤１は、図２に示すように表示部１０と、操作部１１と、電力使用量画面生成部１２と、メモリカード１３と、電力使用量算出部１４と、音声合成部１５等を備えており、ＣＰＵ等で構成された制御部（不図示）に設定された制御プログラムに従って住宅情報盤１の各部が制御されている。住宅情報盤１は、薄型筐体は樹脂製であり、その内部には、上述のＣＰＵ等制御回路を構成する基板や電子部品の他、ドアホン子器３との通話手段を構成するスピーカ、マイク等が収容されている。筐体の前面には、図３に示すようにカラー液晶ディスプレイからなる表示部１０と、各種操作部１１と、スピーカ孔１ａと、マイク孔１ｂと、状態ランプ１ｃとが設けられている。表示部１０は、図３及び図４に示す住宅１００の電力使用情報や、来訪者映像等を表示する。各種操作部１１としては、通話釦１１ａ、終了釦１１ｂ、カーソルキー１１ｃ、機能選択釦１１ｄ、外出ボタン１１ｅが設けられている。外出ボタン１１ｅは、オン操作されると防犯センサ７が起動し、オフ操作されると防犯センサ７も非起動状態となる。防犯センサ７の構成は、外部からの人の侵入を検知できれば、特に限定されないが、例えば住宅１００の窓等に取り付けたマグネットスイッチで構成されたものや住宅１００の天井等に取り付けたパッシブセンサ、赤外線センサ等とすることができる。筐体の背面には、電源供給される電源線との接続端子、ドアホン子器３側と通話するための通話信号線の接続端子等を含む端子台等が設けられている。なお、これらの電源線、通話信号線は、電源と通話信号とが重畳された共用線としてもよい。
【００１３】
分電盤４は、主幹ブレーカを通じて供給される電流量を計測する計測部を備えており、ここで計測された情報は信号線を通じて住宅情報盤１の電力使用量算出部１４に送出する。電力使用量算出部１４は、分電盤４で計測された情報に基づいて、電力使用量を算出し、算出されたデータは、メモリカード１３に記憶され保存される。そしてこのデータに基づいて表示部１０に表示される電力使用量画面が、電力使用量画面生成部１２で生成され、操作部１１の操作で各種生成された画面が選択されると表示部１０に表示する（図４（ａ）〜（ｄ）参照）。また電力使用量算出部１４で算出したデータに基づいて、ドアホン子器３から報知出力される音声を音声合成部１５から送出する。ドアホン子器３から報知出力する電力使用情報の内容は、特に限定されない。例えば電力使用量算出部１４で算出された電力瞬時値が一定レベル以下の場合は、照明器具５，６やテレビジョン等の負荷機器の消し忘れなしとして「消し忘れはありません」と音声メッセージをドアホン子器３から報知出力するようにしてもよい。また上記の電力瞬時値が一定時間（例えば２〜５秒）一定レベル以上の場合は、照明器具５，６等の消し忘れの疑いがあるため、「消し忘れ警告」として「消し忘れがないか確認ください」と音声メッセージをドアホン子器３から報知出力するようにしてもよい。このとき、上記の電力瞬時値が一定時間の間に電力変化がある場合は、引き続き電力値を監視するようにしてもよい。ドアホン子器３から住宅１００の電力使用情報を自動的に報知出力させるフローの例については、図５のフロー図を参照しながら、後述する。
【００１４】
外出検知装置２による居住者の外出検知方法は特に限定されないが、居住者の外出を判断する構成要素としては、例えば集中型照明スイッチ８、防犯センサ７、ドアホン子器３等とすることができる。集中型照明スイッチ８を上述の外出検知の構成要素とする場合は、玄関扉１０１ａ付近に設けられる集中型照明スイッチ８のオフ操作を検知した後、所定時間内（例えば３０秒〜６０秒等）に住宅１００の玄関扉１０１ａにおける施錠センサ９の施錠を検知したときに居住者の外出と判断する。この集中型照明スイッチ８は、住宅１００内に設置された複数の照明器具５，６を一括してオフにすることができるスイッチをいい、玄関扉１０１ａ付近に設けられる。また防犯センサ７を上述の外出検知の構成要素とする場合は、防犯センサ７の起動を検知した後、所定時間内（例えば３０秒〜６０秒等）に住宅１００の玄関扉１０１ａにおける施錠センサ９の施錠を検知したときに居住者の外出と判断する。ここで防犯センサ７の起動は、外出ボタン１１ｅのオン操作であるので、外出ボタン１１ｅのオン操作を検知した後、所定時間内（例えば３０秒〜６０秒等）に住宅１００の玄関扉１０１ａにおける施錠センサ９の施錠を検知したときに居住者の外出と判断するようにしてもよい。ドアホン子器３を上述の外出検知の構成要素とする場合は、ドアホン子器３の呼出釦３０が所定時間以上（例えば３秒以上）長押しされたことを検知したときに居住者の外出と判断する。
【００１５】
以上によれば、外出時に居住者はドアホン子器３から報知される住宅１００の電力使用情報を知ることができる。外出検知装置２は、操作や施錠センサ９の検知を組み合わる等して、居住者の外出を検知しているので、居住者の外出判断の誤検知を減らすことができる。
【００１６】
外出検知装置２は、この他、住宅情報盤１及びドアホン子器３に人感センサを備えたものである場合は、所定の条件を検知したとき、居住者の外出と判断するようにしてもよい。上述の所定の条件としては、例えば住宅情報盤１に設けられた人感センサが検知してから所定時間内にドアホン子器３に設けられた人感センサが検知すると居住者の外出と判断する条件が挙げられる。
【００１７】
住宅情報盤１及び分電盤４の構成は上述に限定されず、例えば電力使用情報の元データは、別途設けられた電力測定器で測定されたものであってもよいし、電力メータで測定されたものであってもよい。また電力使用情報を報知出力するのは、ドアホン子器３の他、別途玄関先に設けられたスピーカやスマートフォン等でも報知出力させるようにしてもよい。
【００１８】
図４（ａ）〜（ｄ）には、住宅情報盤１の表示部１０の表示態様の例を示している。
図４（ａ）は、図３の表示部１０と同じ表示態様を示しており、「電力データ表示」を選択した場合のトップ画面である。この「電力データ表示」画面から例えば「時間別電力使用量」「グラフ表示」を選択すると図４（ｂ）が表示される。図４（ｂ）では２０１５年８月２７日の０時〜２４時までの電力使用量を前日値と比較しながら確認することができる。また図４（ａ）の「電力データ表示」画面から例えば「時間別電力使用量」「数値表示」を選択すると図４（ｃ）が表示される。図４（ｃ）では２０１５年８月２７日の時間別の電力使用量を数値で確認することができる。図４（ａ）の「電力データ表示」画面から例えば「月別電力使用量」「グラフ表示」を選択すると図４（ｄ）が表示される。図４（ｄ）では２０１５年の１月〜１２月の月別の電力使用量を確認でき、現在は、１月〜８月までの電力使用量を確認することができる。このように住宅情報盤１の表示部１０で電力使用量を確認することができる。
【００１９】
図５は、住宅情報盤１の基本動作の一例を説明するフロー図である。なお、図５に示すフロー図は一例であって、これに限定されるものではない。
住宅情報盤１は、住宅１００の居住者の外出を検知する外出検知装置２から外出検知信号を受信すると（Ｓ１００）、分電盤４から計測部で計測された電流量を読出しする（Ｓ１０１）。そして読出した情報から電力使用量算出部１４で電力使用量を算出し（Ｓ１０２）、電力使用量が設定された閾値、すなわち基準値を超えているか否かを判定する（Ｓ１０３）。基準値を超えている場合は、「電力使用量ＸＸワットです。基準を超えています。」等の音声合成をドアホン子器３から自動的に報知出力する（Ｓ１０５）。基準値を下回った場合は、「電力使用量はＹＹワットです。基準内です」等の音声合成をドアホン子器３から自動的に報知出力する（Ｓ１０６）。
【００２０】
以上によれば、住宅１００内に設置された住宅情報盤１の機能を向上させ、住宅１００外でドアホン子器３から住宅１００の電力使用情報が報知され、知ることができる。よって、居住者が外出する際に無駄な電力消費がないかの確認に役立てることができ、節電意識を高めることができる。また電力使用情報の音声メッセージが、ドアホン子器３のスピーカ３１から報知されるので、別途スピーカを設ける必要がない。さらに居住者が意識して電力使用情報を外出時に知るために住宅情報盤１の操作部１１等を操作しなくても、自動的に報知出力され、電力使用情報を認識することができる。
【００２１】
本実施形態に係る住宅情報盤１及びこれを備えたインターホンシステムＳは、上述の構成に限定されるものではない。例えば、インターホンシステムＳとしては、戸建住宅に限定されず、集合住宅用インターホンシステムに適用することができる。ドアホン子器３の設置場所についても、図１では玄関扉１０１ａの横の壁に設けた例を説明したが、これに限定されず、例えば門扉がある住宅の場合は、門扉或いはその周辺に設けるようにしてもよい。また上述では住宅情報盤１は音声合成部１５を備え、ドアホン子器３から報知されるのは、音声メッセージである例を説明したが、これに限定されず、発信音や表示灯を設け点灯・点滅させて報知するようにしてもよい。この場合は、例えば上述の閾値を超えているときのみに発信音を発するようにしてもよい。また外出検知装置２において外出と検知する構成要素を住宅情報盤１で選択設定できるようにしてもよい。
【符号の説明】
【００２２】
１        住宅情報盤
２        外出検出装置
３        ドアホン子器
７        防犯センサ
８        集中型照明スイッチ
９        施錠センサ
１０１ａ  玄関扉
Ｓ        インターホンシステム
【図１】
0006548160.tif 000002
【図２】
0006548160.tif 000003
【図３】
0006548160.tif 000004
【図４】
0006548160.tif 000005
【図５】
0006548160.tif 000006